(57)【特許請求の範囲】
【請求項１】
屋内イベント用施設のアリーナ床機構であって、
床スラブ１上に設置した床部材を分割して昇降自在な複数の昇降床１０、１３に形成し、
上記すべての昇降床１０、１３を天井に設けた巻上機１８、１９に連結可能に設け、
所定の昇降床１３と他の昇降床１０とを連結可能な連結手段１５、１５ａ、１６を設け、
該連結手段による連結状態ですべての昇降床を同時に上昇させて、該昇降床を床スラブとの間にイベントが行える空間を形成可能な高さに保持可能に設け、
上記所定の昇降床の下端部に車輪を取り付けて、該車輪を有する昇降床を、上記車輪を有しない昇降床１０の上昇時に床スラブ１の任意の位置へ水平移動可能に設け、
さらに上記車輪を備えた昇降床１３を床下空間２に設置した昇降装置４によって昇降可能に設けたことを特徴とする昇降式アリーナ床機構。
【発明の詳細な説明】
【０００１】
【発明の属する技術分野】
本発明は屋内イベント用施設のアリーナ床機構、特にスポーツイベントと一般のイベントとが交互に開催されるような特性を有する屋内イベント会場等におけるアリーナ床機構に関する。
【０００２】
【従来の技術】
スポーツイベントと一般イベントとが交互に開催されるような特性を有する屋内イベント会場等においては、アリーナ床の仕様はどちらか一方のイベントに合わせて作られ、他方のイベント開催時にはこれに合う床を臨時的に組み立てる等の対応が一般的である。
他方、屋外施設用のアリーナの場合、天然芝グラウンドを屋根面まで引き上げる技術や、水平方向に引き出して屋外に設置する方法が知られている。
【０００３】
なお、特許第２８０３７９４号公報に記載されているように、ドーム内アリーナ面に天然芝コートを有する多目的ドームにおいて、天然芝コートが表面に天然芝を有する一体の床構造で構成され、ドームの屋根部に床構造体が入る穴部を設け、ドームを構成する固定屋根部分の穴部の付近に複数の支持部材を設けてステップロッドを吊下げ、床構造体にはステップロッドと係合して床構造体を昇降するアップダウンジャッキを設けて昇降装置が構成された昇降式天然芝付屋根を有する多目的ドームや、特開平１１−１１７５５７号公報に記載されているように、屋内競技場の床面に畳を用いた武道競技場を敷設する設備であって、武道競技場を複数の競技面に分割し、これらの競技面の各々に連結部を設けて連結可能とし、前記競技面の各々の下面から空気を噴射して該競技面を移動させる搬送装置を該競技面の各々に着脱自在に備えた武道競技用設備が知られている。
【０００４】
【発明が解決しようとする課題】
イベントに合う床を臨時的に組み立てる等の従来の対応では、常時、各種イベントが交代で開催される場合、会場設営にかかる時間および金額が非常に大きくなり、施設運営者、イベント開催者に過大な時間的・金額的な負担を強いている。
他方、上記屋外施設の場合、大重量を想定しているため機構的に大規模であったり、転換に時間がかかりすぎる仕様となっている。
【０００５】
本発明は、上記問題点に鑑みてなされたもので、イベント設営を迅速かつ低コストで行えると共に、施設稼働率の向上が図れる屋内アリーナ床機構を提供することを目的とする。
【０００６】
【課題を解決するための手段】
第１の手段として、屋内イベント用施設のアリーナ床機構であって、床スラブ１上に設置した床部材を分割して昇降自在な複数の昇降床１０、１３に形成すると共に、これらのうちの幾つかの昇降床１３を他の昇降床１０の上昇時に床スラブ１の任意の位置へ水平移動可能に設けた。
【０００７】
第２の手段として、第１の手段を有すると共に、上記すべての昇降床１０、１３を天井に設けた巻上機１８、１９に連結可能に設けると共に、上記水平移動可能な昇降床１３を床下空間２に設置した昇降装置４によって昇降可能に設けた。
【０００８】
【発明の実施の形態】
以下、本発明に係る屋内アリーナ床機構の実施形態を図面を参照しながら説明する。
図１乃至図３において、１はコンクリート床スラブで、アリーナ床の基礎を形成する。床スラブの形状には特に限定はなく、図１に示すように矩形状でもよく、あるいは多角形状でも円形状でもよい。このスラブの外周部の一部には奈落２を設けている。この奈落には複数の電動ジャッキ３と振れ止めブレース３ａとからなる昇降装置４が設置され、これらジャッキとブレースとで奈落上面のコンクリート床スラブ部分５（以下、可動スラブと称する。）を昇降自在に支持している。
【０００９】
振れ止めブレース３ａは一端が奈落床面に、他端が可動スラブ５下面に、それぞれピン受け６を介して軸支され、かつピン受けの一方は奈落床面ないし可動スラブ下面に形成された摺動用溝に摺動可能に取り付けられており、図４に示すように、電動ジャッキ３が伸長すると摺動可能なピン受け６が摺動して振れ止めブレース３ａが起立状態となることで可動スラブ５が上昇する。なお、摺動可能なピン受け６の固定は、ロックピン７をピン受けの摺動用溝の適宜の位置に固定することにより可能である。
【００１０】
コンクリート床スラブ１上面には、図３に示すように立体トラス等で板状に組み立てた第１鉄骨トラス８を設置し、このトラス上で木床９を組んで第１昇降床１０を形成する。同様に、可動スラブ５上面にも立体トラス等で板状に組み立てた第２鉄骨トラス１１を設置し、このトラス上に木床１２を組んで第２昇降床１３を形成する。ただし、第２昇降床については水平移動可能とするために第２鉄骨トラス１１下端部に小車輪１４を取り付ける。
【００１１】
なお、第２昇降床１３を第１昇降床１０へ連結させるためのロックピン１５付き連結板１６を第２鉄骨トラス１１に設けると共に、第１鉄骨トラス８にロックピン１５を挿入させる挿入部１５ａを設ける。また、第２鉄骨トラス１１にはその高さを調整するためのジャッキ１７を設ける。後述するように、巻上機を利用して第１昇降床１０を吊り上げる場合等には、図５に示すようにロックピン１５を挿入部１５ａから離脱させて第１昇降床１０から第２昇降床１３を多少離間させておく。
【００１２】
第１および第２昇降床１０、１３の下部には各種道具等を吊下げるための図示しないフックを配置すると共に、これら昇降床内にはキャットウォーク等を設置するのが好ましい。
【００１３】
図６は第１および第２昇降床１０、１３を吊り上げるための第１および第２巻上機１８、１９を示す。第１巻上機１８は第１昇降床１０上方の天井部分の内部に設置し、第２巻上機構１９は第２昇降床１３上方の天井部分の内部に設置する。巻上機１８、１９としてはウインチを使用し、電動モータ２０駆動による巻胴２１から巻き出されたフック付きワイヤロープ２２を滑車２３を介して降下可能に設ける。
【００１４】
なお、第２巻上機１９には滑車２３の水平方向の位置を調整するための位置調整装置２４を設ける。一方、第１および第２鉄骨トラス８、１１にはワイヤロープ２２のフックを掛止するための吊り点２４を設けておく。
【００１５】
次に本実施形態の作用について説明する。
図７は武道その他スポーツに対応させたアリーナ床を示すもので、図３に示すように、第２昇降床１３は第１昇降床１０とほぼ同一の高さで連結されている。上述のように第１および第２昇降床１０、１３の上面は適度の弾力を有する木床１２であることから、アリーナ床の全面は武道やその他スポーツに対応可能となっている。
【００１６】
図８はアリーナ床を武道その他スポーツに対応させている点は上記同様であるが、第２昇降床１３を図４に示すように昇降装置４で上昇させて、武道大会等の審査員席等に利用可能なステージにしている点で上記と異なっている。なお、第２昇降床１３を上昇させる際には図に示すように、ロックピン１５を離脱させて第２昇降床１３を第１昇降床１０から離間させておく。
【００１７】
図９はコンサートや集会等土足でのイベントに対応させたもので、第２昇降床１３を上昇させてステージとして利用可能にしている点は図８と同様であるが、第１昇降床１０を第１巻上機１８で吊り上げてコンクリート床スラブを露出させてコンクリート土間としている点で上記と異なっている。
【００１８】
図１０はコンサートや集会等土足でのイベントに対応させている点で上記と同様であるが、第２昇降床１３をアリーナ床の中央に移動させて中央ステージとして利用している点で上記と異なる。なお、第２昇降床１３は上記のように小車輪１４を有しているため水平方向への移動が可能である。
【００１９】
図１１は展示会等上記とは異なるその他のイベントに対応させたもので、第１昇降床１０と第２昇降床１３とを巻上機１８、１９で吊り上げて、アリーナ床全面をコンクリート土間としている。なお、第２昇降床１３がアリーナ床の中央に位置する場合には一旦この昇降床を可動スラブ５上へ移動させてから吊り上げる。
【００２０】
なお、図３に示すように第１昇降床１０と第２昇降床１３とが連結された状態で吊り上げる場合には第２巻上機１９の位置調整装置２４は作動させないが、図５に示すように第２昇降床１３が第１昇降床１０から離間している場合には、同装置２４を作動させて滑車２３の位置を点線で示す位置へ移動させてワイヤロープ２３を第２昇降床１３に連結して吊り上げる。
【００２１】
上記では第１および第２昇降床１０、１３の吊り上げのみについて説明したが、下降させる場合にはワイヤロープ２３を巻き戻せばよく、また、第２昇降床１３をステージとして使用しない場合には昇降装置１４の電動ジャッキ３を収縮して元の高さまで下降させればよい。
【００２２】
【発明の効果】
本発明は、床スラブ上に設置した床部材を分割して昇降自在な複数の昇降床に形成したので、すべての昇降床を上昇させるだけで、床スラブを露出させて土足等でのイベントに対応させることができ、また、逆にすべての昇降床を下降させるだけで武道等の他のスポーツイベントに迅速に対応させることができる。
【００２３】
また、昇降床のうちの幾つかを他の昇降床の上昇時に床スラブの任意の位置へ水平移動可能に設けたので、例えば、ある昇降床をステージとして任意の位置に移動させることができ、従って、同一イベントに対応させる場合でもアリーナ床をそのイベントの性質に応じた任意の形態にすることができ、アリーナ床の設定に際し自由度が増大する。
【００２４】
しかも、各種イベントへの対応が床の臨時的な組立を要しないので迅速かつ低コストに行える。
また、このように各種イベントへの対応が迅速に行えることから施設稼働率が向上し収益増加が見込まれる。
【００２５】
さらに、本発明は、昇降床は屋内イベント用であるため、簡易な巻上機で昇降可能であり、従って、大規模な装置を使用する必要がなく、また転換も短時間に行うことができる。
【図面の簡単な説明】
【図１】本発明に係る屋内アリーナ床機構の平面図。
【図２】同じく、図１の略示断面図。
【図３】同じく、床機構の詳細断面図。
【図４】同じく、可動スラブ上昇時の状態を示す作用説明図。
【図５】同じく、第２昇降床を第１昇降床から離間させた状態を示す作用説明図。
【図６】同じく、巻上機による吊り上げ状態を示す作用説明図。
【図７】同じく、アリーナ床を武道等のイベントに対応させた説明図。
【図８】同じく、アリーナ床をステージ利用の武道等のイベントに対応させた説明図。
【図９】同じく、図８において第１昇降床を上昇させた状態を示す説明図。
【図１０】同じく、図９においてステージを中央に移動させた状態を示す説明図。
【図１１】同じく、第１および第２昇降床を上昇させた状態を示す説明図。
【符号の説明】
１  コンクリートスラブ床
２  奈落（床下空間）
４  昇降装置
１０  第１昇降床
１３  第２昇降床
１８、１９  巻上機
【図１】
0004437618.tif 000002
【図２】
0004437618.tif 000003
【図３】
0004437618.tif 000004
【図４】
0004437618.tif 000005
【図５】
0004437618.tif 000006
【図６】
0004437618.tif 000007
【図７】
0004437618.tif 000008
【図８】
0004437618.tif 000009
【図９】
0004437618.tif 000010
【図１０】
0004437618.tif 000011
【図１１】
0004437618.tif 000012